(57)【要約】【課題】２つの異なるコンテンツ生成ユニットのうち、生成されるコンテンツが再生されないユニットについては、消費電力を抑えて動作させるコンテンツ再生装置を提供することである。【解決手段】本発明に係るＰＣ内蔵テレビ１におけるＴＶユニット１０は、ＰＣ内蔵テレビ１における動作モードを表す動作モード情報をＰＣユニット２０に対して送信する制御情報通信部１８を備えており、ＰＣユニット２０は、受信した動作モード情報に基づき、ＰＣユニット２０を構成するハードウェアのそれぞれへの電力供給を制御する電力供給制御部３２を備えている。【選択図】図１
2010257424.tif 000002
【特許請求の範囲】
【請求項１】
少なくとも第１の映像を含む第１のコンテンツを生成する第１のコンテンツ生成手段を備えた第１のユニットと、少なくとも第２の映像を含む第２のコンテンツを生成する第２のコンテンツ生成手段を備えた第２のユニットとを有するコンテンツ再生装置であって、
上記第１のユニットは、
上記第２のユニットから第２のコンテンツを取得するコンテンツ取得手段と、
上記第１のコンテンツ生成手段において生成した第１のコンテンツおよび上記コンテンツ取得手段において取得した第２のコンテンツの少なくともいずれかを再生するコンテンツ再生手段と、
電源より供給される電力を使用して、上記第１のユニットを構成する第１のハードウェアへの電力供給を制御する第１の電力供給制御手段と、
上記電源より供給される電力の一部を、上記第２のユニットに供給する供給手段と、
当該コンテンツ再生装置における動作モードを表す動作モード情報を上記第２のユニットに対して送信する動作モード情報送信手段と、
上記第２のユニットは、
上記第１のユニットに上記第２のコンテンツを送信するコンテンツ送信手段と、
上記動作モード情報送信手段から送信された動作モード情報を受信する動作モード情報受信手段と、
上記第１のユニットから供給される電力を使用して、受信した動作モード情報に基づき、上記第２のユニットを構成する第２のハードウェアへの電力供給を制御する第２の電力供給制御手段と、をさらに備えていることを特徴とするコンテンツ再生装置。
【請求項２】
上記動作モード情報は、上記再生手段において第２のコンテンツを再生しないことを示すコンテンツ再生停止情報であり、
上記第２の電力供給制御手段は、上記動作モード情報受信手段においてコンテンツ再生停止情報を受信した場合に、上記第２のハードウェアのうち、上記第２のコンテンツ生成手段として機能するハードウェアに対する電力の供給を遮断することを特徴とする請求項１に記載のコンテンツ再生装置。
【請求項３】
上記第２の電力供給制御手段は、上記第２のコンテンツ生成手段として機能するハードウェアに加えて、上記第２のユニットに備えられた第２の操作入力デバイスを介して入力される操作入力信号を受信する第２の入力信号受信手段として機能するハードウェアに対する電力の供給を遮断することを特徴とする請求項２に記載のコンテンツ再生装置。
【請求項４】
上記第１の電力供給制御手段は、上記再生手段において上記第１のコンテンツを再生しない場合、上記第１のハードウェアのうち、上記第１のコンテンツ生成手段として機能するハードウェアに対する電力の供給を遮断することを特徴とする請求項１から３のいずれか１項に記載のコンテンツ再生装置。
【請求項５】
上記第１の電力供給制御手段は、上記第１のコンテンツ生成手段として機能するハードウェアに加えて、上記第１のユニットに備えられた第１の操作入力デバイスを介して入力される操作入力信号を受信する第１の入力信号受信手段として機能するハードウェアに対する電力の供給を遮断することを特徴とする請求項４に記載のコンテンツ再生装置。
【請求項６】
上記動作モード情報は、上記再生手段において第２のコンテンツの再生を再開することを示すコンテンツ再生再開情報であり、
上記第２の電力供給制御手段は、上記動作モード情報受信手段においてコンテンツ再生再開情報を受信すると、上記第２のコンテンツ生成手段として機能するハードウェアに対する電力の供給を再開することを特徴とする請求項２に記載のコンテンツ再生装置。
【請求項７】
上記第２の電力供給制御手段は、上記動作モード情報受信手段においてコンテンツ再生再開情報を受信すると、上記第２のコンテンツ生成手段として機能するハードウェアおよび上記第２のユニットに備えられた第２の操作入力デバイスを介して入力される操作入力信号を受信する第２の入力信号受信手段として機能するハードウェアに対する電力の供給を再開することを特徴とする請求項６に記載のコンテンツ再生装置。
【請求項８】
上記第２のユニットは、上記動作モード情報受信手段においてコンテンツ再生再開情報を受信してから、上記コンテンツ送信手段において第２のコンテンツの送信を開始するまでの間、上記第２のユニットの状態を示す状態情報を上記第１のユニットに対して送信する制御情報送信手段をさらに備えており、
上記第１のユニットは、上記情報送信手段から送信される状態情報を受信する制御情報受信手段をさらに備えており、
上記第１のコンテンツ生成手段は、上記第１の映像に加えて、上記制御情報受信手段において受信した状態情報に基づいて生成した映像を含む第１のコンテンツを生成し、
上記コンテンツ再生手段は、上記第１のコンテンツ生成手段において生成した第１のコンテンツを再生することを特徴とする請求項６または７に記載のコンテンツ再生装置。
【請求項９】
上記第２のユニットは、上記第１のユニットに対して第１のコンテンツの再生再開を指示する再生指示情報を送信する制御情報送信手段をさらに備えており、
上記第１のユニットは、上記制御情報送信手段から送信される再生指示要求を受信する制御情報受信手段をさらに備えており、
上記第１の電力供給制御手段は、上記制御情報受信手段において再生指示要求を受信すると、上記第１のコンテンツ生成手段として機能するハードウェアに対する電力の供給を再開することを特徴とする請求項４に記載のコンテンツ再生装置。
【請求項１０】
上記第１の電力供給制御手段は、上記制御情報受信手段において再生指示情報を受信すると、上記第１のコンテンツ生成手段として機能するハードウェアおよび、上記第１のユニットに備えられた第１の操作入力デバイスを介して入力される操作入力信号を受信する第１の入力信号受信手段として機能するハードウェアに対する電力の供給を再開することを特徴とする請求項９に記載のコンテンツ再生装置。
【請求項１１】
上記第１の電力供給制御手段は、電源から電力の供給が開始されるときに、上記動作モード情報を上記第２の電力供給制御手段に対して送信し、
上記第２の電力供給制御手段は、上記第１の電力供給制御手段から受信した動作モード情報に基づいて、上記第２のハードウェアに対する電力の供給を制御することを特徴とする請求項１から１０のいずれか１項に記載のコンテンツ再生装置。
【請求項１２】
上記第１のユニットは、アンテナを通じて放送波を受信する放送波受信手段をさらに備えており、
上記第１の映像は、上記放送波受信手段において受信した放送波をデコードすることにより生成されることを特徴とする請求項１から１１のいずれか１項に記載のコンテンツ再生装置。
【請求項１３】
上記第２のコンテンツ生成手段は、ソフトウェアアプリケーションを実行する実行手段を含み、
上記第２のコンテンツ生成手段は、上記ソフトウェアアプリケーションの実行時に生成されるコンテンツを、第２のコンテンツとして生成することを特徴とする請求項１から１２のいずれか１項に記載のコンテンツ再生装置。
【請求項１４】
請求項１から１３のいずれか１項に記載のコンテンツ再生装置が備えているコンピュータを動作させるプログラムであって、上記コンピュータを上記の各手段として機能させるためのプログラム。
【請求項１５】
請求項１４に記載のプログラムを記録しているコンピュータ読み取り可能な記録媒体。
【発明の詳細な説明】
【技術分野】
【０００１】
本発明は、それぞれが異なるコンテンツを生成する複数のユニットから構成されるコンテンツ再生装置に関する。
【背景技術】
【０００２】
近年、放送番組を視聴しながら、同一画面上で別の映像を見たいという要望が、視聴者の間に高まっている。これを背景に、子画面を用いて放送番組以外の他の映像を表示する技術が色々と提案されている。
【０００３】
特許文献１には、テレビ画面とインターネットに接続して得られたブラウザ画面を同時にディスプレイに表示する映像表示装置が開示されている。
【０００４】
特許文献２には、デジタル放送を高解像度で短時間に視聴するとともに、ユーザのＴＶ／ＰＣ機能をシームレスに選択できるテレビ機能付きパーソナルコンピュータが開示されている。
【０００５】
特許文献３には、ＰＣの負荷を増加することなくテレビや録画番組の視聴ができ、ＰＣ作業中にＰＣモニタ上の任意の位置にオーバーレイ表示によるテレビ画像を小画面表示することができるとともに、作業域とテレビのオーバーレイ領域が重なり操作性が悪くなった場合にも、作業域を任意の位置へ移動させ、かつ任意の大きさに変更することができ、操作性を大幅に改善することができる画像処理装置が開示されている。
【０００６】
特許文献４には、本体部にＴＶ用の電源ボタンと、ＰＣ用の電源ボタンとをそれぞれ個別に備え、操作パネルに設けたモード切替ボタンによりＴＶ機能とＰＣ機能とを切り換える画像出力装置が開示されている。
【先行技術文献】
【特許文献】
【０００７】
【特許文献１】特開２００８−７９０７７号公報（公開日：２００８年４月３日）
【特許文献２】特開２００６−３１０８９６号公報（公開日：２００６年１１月９日）
【特許文献３】特開２００７−３１１９５８号公報（公開日：２００７年１１月２９日）
【特許文献４】特開２００５−３０３９３５号公報（公開日：２００５年１０月２７日）
【発明の概要】
【発明が解決しようとする課題】
【０００８】
しかし、上述した従来技術には次のような問題がある。
【０００９】
特許文献１の技術では、ブラウザ機能をテレビ装置の中で実現している。この構成では、テレビ装置のソフトウェアおよびハードウェアは、コンピュータのそれらに比べて貧弱であるため、限られたサービスしか処理できない。特に、インターネットを通じて提供されるサービスは日々進化しているため、特許文献１の技術では、オンラインゲームおよび動画再生サービスなど処理に多大な負荷を要する数多くのサービスには対応できない。その結果、ユーザに対して極僅かなサービスを提供できるに留まる。特許文献２の技術にも同様の問題がある。
【００１０】
特許文献３の技術では、テレビと外部ＰＣとを接続することによって、テレビ画面とＰＣ画面とを混在させて表示する。この技術では、別体の２つの装置を互いに接続するため、配線などが複雑になる。結果、装置の設置および持ち運びが面倒なものとなる。また、テレビ放送の処理とコンピュータの処理とが互いに無関係に動作しているため、それぞれを別々の操作装置で操作せざるを得ない。また、両者の連携を実現することは困難である。このように、特許文献１〜３に記載の技術では、２つの異なるユニット間の親和性が低く、第１のユニットの操作によって両者を連携して動作させることができない。
【００１１】
また、特許文献４の技術では、ＴＶチューナーの電源ボタンと、ＰＣの電源ボタンとが別個に設けられているため、ユーザーはＴＶを視聴しているときにＰＣを使用するためには、ＰＣの電源をオンにしてＰＣが起動するのを待たなければならない。一般的に、ＰＣは起動するのに時間を要するため、ユーザーが即座にＰＣを使用したい場合には不満の生じることになる。
【００１２】
これを解決するためには、ＴＶチューナーとＰＣとを１つの電源ボタンにより同時に起動することができるようにすればよい。しかし、この場合には、ＴＶを視聴しない際にＴＶチューナーを起動させておいたり、またＰＣを使用しない際にＰＣを起動させておく必要があるため、装置全体の消費電力が増大してしまうという問題を有する。これは、エコロジーの観点からも好ましいものではない。
【００１３】
本発明は、上記の問題点に鑑みてなされたものであり、その主たる目的は、２つの異なるユニット間の親和性を高め、第１のユニットの操作によって両者を連携して動作させることができるコンテンツ再生装置を提供することである。また、２つの異なるユニットの各々においてコンテンツを生成し、生成したコンテンツの少なくともいずれかを再生するコンテンツ再生装置であって、生成されるコンテンツが再生されないユニットについては、消費電力を抑えて動作させるコンテンツ再生装置を提供することである。
【課題を解決するための手段】
【００１４】
本発明に係るコンテンツ再生装置装置では、上記課題を解決するために、
少なくとも第１の映像を含む第１のコンテンツを生成する第１のコンテンツ生成手段を備えた第１のユニットと、少なくとも第２の映像を含む第２のコンテンツを生成する第２のコンテンツ生成手段を備えた第２のユニットとを有するコンテンツ再生装置であって、
上記第１のユニットは、
上記第２のユニットから第２のコンテンツを取得するコンテンツ取得手段と、
上記第１のコンテンツ生成手段において生成した第１のコンテンツおよび上記コンテンツ取得手段において取得した第２のコンテンツの少なくともいずれかを再生するコンテンツ再生手段と、
電源より供給される電力を使用して、上記第１のユニットを構成する第１のハードウェアへの電力供給を制御する第１の電力供給制御手段と、
上記電源より供給される電力の一部を、上記第２のユニットに供給する供給手段と、
当該コンテンツ再生装置における動作モードを表す動作モード情報を上記第２のユニットに対して送信する動作モード情報送信手段と、
上記第２のユニットは、
上記第１のユニットに上記第２のコンテンツを送信するコンテンツ送信手段と、
上記動作モード情報送信手段から送信された動作モード情報を受信する動作モード情報受信手段と、
上記第１のユニットから供給される電力を使用して、受信した動作モード情報に基づき、上記第２のユニットを構成する第２のハードウェアへの電力供給を制御する第２の電力供給制御手段と、をさらに備えていることを特徴としている。
【００１５】
本発明に係るコンテンツ再生装置における第１のユニットは、電源より供給される電力の一部を第２のユニットに対して供給すると共に、コンテンツ再生装置における動作モードを表す動作モード情報を第２のユニットに対して送信する。第２のユニットは、第１のユニットから供給される電力を使用して、受信した動作モード情報に基づき、自ユニットを構成する第２のハードウェアへの電力供給を制御する。
【００１６】
このように、本発明に係るコンテンツ再生装置では、第２のユニットを動作させるための電力は、第１のユニットから供給される。これによって、第１のユニットに対する電力の供給を行うのみで、第１のユニットおよび第２のユニットのいずれにも電力を供給させることができる。
【００１７】
また、第２のユニットは、第１のユニットからの動作モード情報に基づいて、自ユニットを構成する第２のハードウェアに対する電力の供給を制御することになる。すなわち、本発明に係るコンテンツ再生装置では、第１のユニットを操作することによって両者を連携して動作させることができる効果を奏する。
【００１８】
本発明に係るコンテンツ再生装置では、さらに、
上記動作モード情報は、上記再生手段において第２のコンテンツを再生しないことを示すコンテンツ再生停止情報であり、
上記第２の電力供給制御手段は、上記動作モード情報受信手段においてコンテンツ再生停止情報を受信した場合に、上記第２のハードウェアのうち、上記第２のコンテンツ生成手段として機能するハードウェアに対する電力の供給を遮断することが好ましい。
【００１９】
上記の構成によれば、第２のユニットは、第１のユニットからコンテンツ再生停止情報を受信した場合、すなわち再生手段において第２のコンテンツを再生しない場合には、第２のコンテンツ生成手段として機能するハードウェアに対する電力の供給を遮断する。
【００２０】
すなわち、本発明に係るコンテンツ再生装置における第２のユニットは、第２のコンテンツを再生しない場合に動作させる必要がない第２のコンテンツ生成手段として機能するハードウェアに対して電力の供給を行わないようにすることができる。
【００２１】
これによって、第２のコンテンツを再生しない場合には、第２のコンテンツの生成に関する機能を有するハードウェアに対する電力の供給を停止して消費電力を削減することができる効果を奏する。
【００２２】
本発明に係るコンテンツ再生装置では、さらに、
上記第２の電力供給制御手段は、上記第２のコンテンツ生成手段として機能するハードウェアに加えて、上記第２のユニットに備えられた第２の操作入力デバイスを介して入力される操作入力信号を受信する第２の入力信号受信手段として機能するハードウェアに対する電力の供給を遮断することが好ましい。
【００２３】
上記の構成によれば、第２のコンテンツを再生しない場合には、第２のコンテンツ生成手段として機能するハードウェアに加えて、第２の操作入力デバイスを介して第２のユニットに入力される操作入力信号を受信する第２の入力信号受信手段として機能するハードウェアに対する電力の供給も停止する。
【００２４】
これによって、本発明に係るコンテンツ再生装置では、第２のコンテンツを再生しない場合における消費電力をより一層削減することができる効果を奏する。
【００２５】
本発明に係るコンテンツ再生装置では、さらに、
上記第１の電力供給制御手段は、上記再生手段において上記第１のコンテンツを再生しない場合、上記第１のハードウェアのうち、上記第１のコンテンツ生成手段として機能するハードウェアに対する電力の供給を遮断することが好ましい。
【００２６】
上記の構成によれば、第１のユニットは、再生手段において第１のコンテンツを再生しない場合には、第１のコンテンツ生成手段として機能するハードウェアに対する電力の供給を遮断する。
【００２７】
すなわち、本発明に係るコンテンツ再生装置における第１のユニットは、第１のコンテンツを再生しない場合に動作させる必要がない第１のコンテンツ生成手段として機能するハードウェアに対して電力の供給を行わないようにすることができる。
【００２８】
これによって、第１のコンテンツを再生しない場合には、第１のコンテンツの生成に関する機能を有するハードウェアに対する電力の供給を停止して消費電力を削減することができる効果を奏する。
【００２９】
本発明に係るコンテンツ再生装置では、さらに、
上記第１の電力供給制御手段は、上記第１のコンテンツ生成手段として機能するハードウェアに加えて、上記第１のユニットに備えられた第１の操作入力デバイスを介して入力される操作入力信号を受信する第１の入力信号受信手段として機能するハードウェアに対する電力の供給を遮断することが好ましい。
【００３０】
上記の構成によれば、第１のコンテンツを再生しない場合には、第１のコンテンツ生成手段として機能するハードウェアに加えて、第１の操作入力デバイスを介して第１のユニットに入力される操作入力信号を受信する第１の入力信号受信手段として機能するハードウェアに対する電力の供給も停止する。
【００３１】
これによって、本発明に係るコンテンツ再生装置では、第１のコンテンツを再生しない場合における消費電力をより一層削減することができる効果を奏する。
【００３２】
本発明に係るコンテンツ再生装置では、さらに、
上記動作モード情報は、上記再生手段において第２のコンテンツの再生を再開することを示すコンテンツ再生再開情報であり、
上記第２の電力供給制御手段は、上記動作モード情報受信手段においてコンテンツ再生再開情報を受信すると、上記第２のコンテンツ生成手段として機能するハードウェアに対する電力の供給を再開することが好ましい。
【００３３】
上記の構成によれば、動作モード情報受信手段がコンテンツ再生再開情報を第１のユニットから受信したときに、第２のコンテンツ生成手段として機能するハードウェアに対する電力の供給を再開する。
【００３４】
これによって、本発明に係るコンテンツ再生装置では、第１のユニットに対する操作により、第２のユニットにおける第２のコンテンツの生成を再開させることができる。すなわち、第１のユニットを操作することによって両者を連携して動作させることができる効果を奏する。
【００３５】
本発明に係るコンテンツ再生装置では、さらに、
上記第２の電力供給制御手段は、上記動作モード情報受信手段においてコンテンツ再生再開情報を受信すると、上記第２のコンテンツ生成手段として機能するハードウェアおよび上記第２のユニットに備えられた第２の操作入力デバイスを介して入力される操作入力信号を受信する第２の入力信号受信手段として機能するハードウェアに対する電力の供給を再開することが好ましい。
【００３６】
上記の構成によれば、本発明に係るコンテンツ再生装置では、第１のユニットに対する操作により、第２のユニットにおける第２のコンテンツの生成を再開させることができる。すなわち、第２の入力信号受信手段が使用できない場合であっても、第１のユニットを操作することによって両者を連携して動作させることができる効果を奏する。
【００３７】
本発明に係るコンテンツ再生装置では、さらに、
上記第２のユニットは、上記動作モード情報受信手段においてコンテンツ再生再開情報を受信してから、上記コンテンツ送信手段において第２のコンテンツの送信を開始するまでの間、上記第２のユニットの状態を示す状態情報を上記第１のユニットに対して送信する制御情報送信手段をさらに備えており、
上記第１のユニットは、上記情報送信手段から送信される状態情報を受信する制御情報受信手段をさらに備えており、
上記第１のコンテンツ生成手段は、上記第１の映像に加えて、上記制御情報受信手段において受信した状態情報に基づいて生成した映像を含む第１のコンテンツを生成し、
上記コンテンツ再生手段は、上記第１のコンテンツ生成手段において生成した第１のコンテンツを再生することが好ましい。
【００３８】
上記の構成によれば、本発明に係るコンテンツ再生装置では、第２のユニットにおいて第２のコンテンツを第１のユニットに対して送信できるようになるまでの間、第２のユニットの状態を示す状態情報に基づいて生成した映像を含む第１のコンテンツを再生する。
【００３９】
これによって、ユーザーは、第２のユニットの状態がどのような状態であるのかを容易に認識することができる効果を奏する。
【００４０】
本発明に係るコンテンツ再生装置では、さらに、
上記第２のユニットは、上記第１のユニットに対して第１のコンテンツの再生再開を指示する再生指示情報を送信する制御情報送信手段をさらに備えており、
上記第１のユニットは、上記制御情報送信手段から送信される再生指示要求を受信する制御情報受信手段をさらに備えており、
上記第１の電力供給制御手段は、上記制御情報受信手段において再生指示要求を受信すると、上記第１のコンテンツ生成手段として機能するハードウェアに対する電力の供給を再開することが好ましい。
【００４１】
上記の構成によれば、制御情報受信手段が再生指示情報を第２のユニットから受信したときに、第１のコンテンツ生成手段として機能するハードウェアに対する電力の供給を再開する。
【００４２】
これによって、本発明に係るコンテンツ再生装置では、第２のユニットに対する操作により、第１のユニットにおける第１のコンテンツの生成を再開させることができる。すなわち、第２のユニットを操作することによって両者を連携して動作させることができる効果を奏する。
【００４３】
本発明に係るコンテンツ再生装置では、さらに、
上記第１の電力供給制御手段は、上記制御情報受信手段において再生指示情報を受信すると、上記第１のコンテンツ生成手段として機能するハードウェアおよび、上記第１のユニットに備えられた第１の操作入力デバイスを介して入力される操作入力信号を受信する第１の入力信号受信手段として機能するハードウェアに対する電力の供給を再開することが好ましい。
【００４４】
上記の構成によれば、本発明に係るコンテンツ再生装置では、第２のユニットに対する操作により、第１のユニットにおける第１のコンテンツの生成を再開させることができる。すなわち、第１の入力信号受信手段が使用できない場合であっても、第２のユニットを操作することによって両者を連携して動作させることができる効果を奏する。
【００４５】
本発明に係るコンテンツ再生装置では、さらに、
上記第１の電力供給制御手段は、電源から電力の供給が開始されるときに、上記動作モード情報を上記第２の電力供給制御手段に対して送信し、
上記第２の電力供給制御手段は、上記第１の電力供給制御手段から受信した動作モード情報に基づいて、上記第２のハードウェアに対する電力の供給を制御することが好ましい。
【００４６】
上記の構成によれば、本発明に係るコンテンツ再生装置では、第２の電力供給制御手段は、第１のユニットに対して電源からの電力の供給が開始されるとき、すなわちコンテンツ再生装置の起動時に、第１の電力供給制御手段から受信した動作モード情報に基づいて、第２のハードウェアに対する電力の供給を制御する。
【００４７】
これによって、第２のユニットは、装置の起動時には、第１の電力供給制御手段から受信した動作モード情報に基づいてハードウェアに対する電力の供給要否を決定することができる。例えば、第１のユニットがコンテンツ再生装置が直近に起動していた際の動作モード情報を記憶する記憶部を備えている場合には、次の起動時においても直近に起動していたときのモードで第２のユニットを起動させることができる効果を奏する。
【００４８】
本発明に係るコンテンツ再生装置では、さらに、
上記第１のユニットは、アンテナを通じて放送波を受信する放送波受信手段をさらに備えており、
上記第１の映像は、上記放送波受信手段において受信した放送波をデコードすることにより生成されることが好ましい。
【００４９】
上記の構成によれば、第１のユニットが放送番組を再生できる。結果、コンテンツ再生装置をテレビジョン装置の一種として実現できる。
【００５０】
本発明に係るコンテンツ再生装置では、さらに、
上記第２のコンテンツ生成手段は、ソフトウェアアプリケーションを実行する実行手段を含み、
上記第２のコンテンツ生成手段は、上記ソフトウェアアプリケーションの実行時に生成されるコンテンツを、第２のコンテンツとして生成することが好ましい。
【００５１】
上記の構成によれば、第２のユニットが汎用コンピュータとしての機能を有する。結果、コンテンツ再生装置を、コンピュータ機能を有する装置として実現できる。特に、第１のユニットが放送番組の再生機能を有する場合、コンテンツ再生装置は、コンピュータ内蔵のテレビジョン装置として実現できる。
【００５２】
また、本発明に係るコンテンツ再生装置を動作させるためのプログラムであって、コンピュータを上記の各手段として機能させることを特徴とするプログラム、および、それらのプログラムを記録したコンピュータ読み取り可能な記録媒体も本発明の範疇に含まれる。
【発明の効果】
【００５３】
本発明に係るコンテンツ再生装置における第１のユニットは、電源より供給される電力の一部を第２のユニットに対して供給する供給手段と、コンテンツ再生装置における動作モードを表す動作モード情報を第２のユニットに対して送信する動作モード送信手段と、を備えている。また、第２のユニットは、第１のユニットから供給される電力を使用して、受信した動作モード情報に基づき、第２のユニットを構成する第２のハードウェアへの電力供給を制御する第２の電力供給制御手段を備えている。
【００５４】
このように、本発明に係るコンテンツ再生装置では、第２のユニットを動作させるための電力は、第１のユニットから供給される。これによって、第１のユニットに対する電力の供給を行うのみで、第１のユニットおよび第２のユニットのいずれにも電力を供給させることができる。
【００５５】
また、第２のユニットは、第１のユニットからの動作モード情報に基づいて、第２のユニットを構成する第２のハードウェアに対する電力の供給を制御することになる。すなわち、本発明に係るコンテンツ再生装置では、第１のユニットを操作することによって両者を連携して動作させることができる。
【図面の簡単な説明】
【００５６】
【図１】実施形態に係るＰＣ内蔵テレビの要部構成を示すブロック図である。
【図２】実施形態に係るＰＣ内蔵テレビの外観を示す図であり、（ａ）はＰＣ内蔵テレビを表示画面側から見た場合の外観を示し、（ｂ）はＰＣ内蔵テレビを横から見た場合の外観を示す。
【図３】実施形態に係るＰＣ内蔵テレビの詳細な内部構成を示すブロック図である。
【図４】実施形態に係るＰＣ内蔵テレビにおける映像合成および表示の流れの一例を示す図である。
【図５】実施形態に係るＰＣ内蔵テレビにおけるＰＣユニットをスタンバイモードに移行する処理を示すシーケンス図である。
【図６】実施形態に係るＰＣ内蔵テレビにおけるＴＶユニットをスタンバイモードに移行する処理を示すシーケンス図である。
【図７】実施形態に係るＰＣ内蔵テレビのＴＶユニットおよびＰＣユニットのいずれかのユニットをスタンバイモードへ移行させるときのディスプレイにおける表示の遷移を示す図であり、（ａ）は同時表示モードで映像を表示する場合を示しており、（ｂ）はＴＶモードで映像を表示する場合を示しており、（ｃ）ＰＣモードで映像を表示する場合を示している。
【図８】実施形態に係るＰＣ内蔵テレビにおけるＰＣユニットをスタンバイモードから復帰させる処理を示すシーケンス図である。
【図９】実施形態に係るＰＣ内蔵テレビのＰＣユニットをスタンバイモードから復帰させたときのディスプレイにおける表示の遷移を示す図であり、（ａ）はＴＶモードで映像を表示する場合を示しており、（ｂ）は同時表示モードで映像を表示する場合を示している。
【図１０】実施形態に係るＰＣ内蔵テレビのＴＶユニットをスタンバイモードから復帰する処理を示すシーケンス図である。
【図１１】実施形態に係るＴＶユニットをスタンバイモードから復帰させたときのディスプレイにおける表示の遷移を示す図であり、（ａ）はＰＣモードで映像を表示する場合を示しており、（ｂ）は同時表示モードで映像を表示する場合を示している。
【図１２】実施形態に係るＰＣ内蔵テレビの他の例の外観を示す図であり、（ａ）は、着脱可能なＰＣユニットがＴＶユニットに装着された後のＰＣ内蔵テレビを表示画面側から見た場合の外観を示す図であり、（ｂ）は、着脱可能なＰＣユニットがＴＶユニットに装着される前のＰＣ内蔵テレビを背面側から見た場合の外観を示す図である。
【図１３】実施形態に係るＰＣ内蔵テレビの他の例の要部構成を示すブロック図である。
【発明を実施するための形態】
【００５７】
本発明に係るコンテンツ再生装置の一実施形態について、図１〜図１３を参照して以下に説明する。なお、本実施形態では、第１のユニットとしてＴＶユニットを有しており、第２のユニットとしてＰＣユニットを有しているＰＣ内蔵テレビを具体例に挙げて説明する。
【００５８】
（ＰＣ内蔵テレビ１の外観）
まず、ＰＣ内蔵テレビ１の外観について、図２（ａ）および（ｂ）を参照して以下に説明する。図２（ａ）および（ｂ）は、本実施形態に係るＰＣ内蔵テレビ１の外観を示す図であり、（ａ）は、ＰＣ内蔵テレビ１を表示画面側から見た場合の外観を示し、（ｂ）は、ＰＣ内蔵テレビ１を横（ＰＣユニット２０の設置側）から見た場合の外観を示す。
【００５９】
図２（ａ）および（ｂ）に示すように、ＰＣ内蔵テレビ１（コンテンツ再生装置）は、ＴＶユニット１０（第１のユニット）にＰＣユニット２０（第２のユニット）が設けられた構成の装置である。本実施形態のＴＶユニット１０は、液晶テレビジョン装置としての構成および機能を備えたサブユニット（サブシステム）である。一方、ＰＣユニット２０はいわゆるパーソナルコンピュータとしての構成および機能を備えたサブユニット（サブシステム）である。両者が一体化されて一つのＰＣ内蔵テレビ１を構成する。さらに両者は互いに連携して動作することによって、ユーザに対し、これまでにない充実したコンテンツ再生（視聴、閲覧）体験を提供する。
【００６０】
ユーザはリモコン９を使用してＰＣ内蔵テレビ１を操作する。リモコン９さえあれば、ＴＶユニット１０を操作して放送番組を視聴することができる。さらに、同じリモコン９を使用することによって、ＰＣユニット２０を操作して各種のソフトウェアアプリケーションを実行したり、インターネット上のウェブサイトにアクセスしてウェブページを閲覧したりすることができる。
【００６１】
なお、図２（ａ）および（ｂ）では、ＰＣユニット２０がＴＶユニット１０外壁面に取り付けられている場合を示しているが、ＰＣユニット２０がＴＶユニット１０の筐体本体に内蔵されていてもよい。この場合、ＰＣユニット２０はＴＶユニット１０の内部に完全に隠されている。したがって、ＰＣユニット２０を外部環境から守ることができる。なお、ユーザは、ＰＣユニット２０をＴＶユニット１０の内部から取り出して、別のＰＣユニット２０に交換することができる。
【００６２】
（ＰＣ内蔵テレビ１の要部構成）
ＰＣ内蔵テレビ１の内部構成および機能について、図１を参照して以下に説明する。図１は、本発明の一実施形態に係るＰＣ内蔵テレビ１の要部構成を示すブロック図である。
【００６３】
図１に示すように、ＰＣ内蔵テレビ１のＴＶユニット１０は、映像出力部１１、音声出力部１２、コンテンツ処理部１３、コンテンツ合成部１４、コンテンツ取得部１５、コンテンツ受信部１６、ユーザ入力部１７、制御情報通信部１８および制御部１９を備えている。一方、ＰＣユニット２０は、コンテンツ処理部２１、コンテンツ取得部２２、コンテンツ送信部２３、記憶部２４、制御情報通信部２５、ユーザ入力部２６、制御部２７およびアプリケーション実行部２８を備えている。
【００６４】
ＰＣ内蔵テレビ１は、映像の合成機能を有している。具体的には、ＴＶユニット１０は、放送波（テレビ放送）を受信してデコードすることによって、放送番組を取得する。ＰＣユニット２０は、ウェブページ、動画コンテンツなどのＰＣコンテンツを取得してＴＶユニット１０に提供する。ＴＶユニット１０は、少なくとも放送番組内の映像（以下、ＴＶ映像とも称する）およびＰＣコンテンツ内の映像（以下、ＰＣ映像とも称する）を合成して一つの表示用映像を生成し、ディスプレイ２に出力する。ディスプレイ２には表示用映像が表示される。
【００６５】
なお、ディスプレイ２は、ＰＣ映像、ＴＶ映像およびそれらの映像を含む表示用映像を表示することができるものであれば、いかなるディスプレイであってもよい。ディスプレイ２の一例としては、液晶ディスプレイ、プラズマディスプレイ、および有機ＥＬディスプレイを挙げることができる。
【００６６】
（ＴＶユニット１０の詳細）
ＴＶユニット１０に備えられる各ブロックの機能について、それぞれ以下に説明する。
【００６７】
映像出力部１１は、コンテンツ合成部１４から送られた映像信号をディスプレイ２に出力する。
【００６８】
音声出力部１２は、コンテンツ合成部１４から送られた音声信号をスピーカ３に出力する。
【００６９】
コンテンツ処理部１３は、コンテンツ取得部１５から入力されたコンテンツを処理する。本実施形態では、受信された放送波をデコードして放送番組（ＴＶコンテンツ）を生成し、コンテンツ合成部１４に出力する。
【００７０】
コンテンツ合成部１４は、コンテンツ処理部１３から入力された放送番組（ＴＶコンテンツ）、および、コンテンツ受信部１６がＰＣユニット２０から受信したＰＣコンテンツを合成して、一つの合成コンテンツを生成し、映像出力部１１および音声出力部１２に出力する。なお、コンテンツ合成部１４は、コンテンツ受信部１６においてＰＣコンテンツを受信しない場合には、ＴＶコンテンツのみを映像出力部１１および音声出力部１２に出力する。同様に、ＴＶコンテンツを生成しない場合には、ＰＣコンテンツのみを映像出力部１１および音声出力部１２に出力する。
【００７１】
コンテンツ取得部１５は、アンテナ４を通じて放送波を受信し、コンテンツ処理部１３に出力する。なお、放送波の受信方法はアンテナ４を通じたものに限定されない。コンテンツ取得部１５は、ケーブルテレビ放送網を通じて放送波を受信することもできる。他にも、インターネット８を通じてＩＰ放送データ（ＩＰ放送波）を受信することもできる。
【００７２】
また、コンテンツ取得部１５に入力される映像としては、放送などリアルタイムの映像に限定されるものではない。他にも、録画再生機器（レコーダ装置）などにより再生されるコンテンツなどのＨＤＭＩケーブルまたはビデオケーブルなどを介して入力される外部入力映像を使用することもできる。
【００７３】
コンテンツ受信部１６は、ＰＣユニット２０から送信されたＰＣコンテンツを受信し、コンテンツ合成部１４に出力する。
【００７４】
ユーザ入力部１７は、ユーザによるＰＣ内蔵テレビ１に対する入力操作を受け付ける。具体的には、例えばユーザによる入力操作に応じてリモコン９が発した信号を受信し、制御部１９に出力する。他にも、ＴＶユニット１０本体へのユーザの直接操作によって発生せられた信号を受信することもできる。
【００７５】
制御情報通信部１８は、ＰＣユニット２０と制御情報をやり取りする。具体的には、制御情報をＰＣユニット２０の制御情報通信部２５に送信したり、あるいは、制御情報通信部２５から送信された制御情報を受信したりする。ここで制御情報には、たとえば、ＰＣユニット２０ａまたはＴＶユニット１０ａを操作するための操作情報が含まれる。他にも、取得したコンテンツを他方のユニットに提供すべき旨を規定した情報が含まれる。さらに、コンテンツを取得するためのアクセス情報（リンク情報）が含まれる。
【００７６】
また、制御情報としては、動作モード情報が含まれる。動作モード情報とは、ＰＣユニット２０をスタンバイモードで動作させるのか、休止モードで動作させるのか、あるいは通常モードで動作させるのかを指定する情報である。
【００７７】
制御部１９は、ＴＶユニット１０を構成する各ブロックを統括制御する。
【００７８】
電力供給制御部３１は、電源１５０から供給される電力をＴＶユニット１０を構成する各ハードウェアに供給すると共に、ＰＣユニット２０に対して供給する。
【００７９】
また、ＴＶユニット１０がスタンバイモードである場合、電力供給制御部３１は、コンテンツ処理部１３およびコンテンツ取得部１５として機能するハードウェアに対する電力の供給を遮断する。すなわち、ＴＶコンテンツの生成に関わるハードウェアに対する電力の供給を遮断する。
【００８０】
さらに、ＴＶユニット１０が休止モードである場合、電力供給制御部３１は、スタンバイモードにおいて電力の供給を遮断するハードウェアに加えて、ユーザー入力部１７に対する電力の供給も遮断する。これによって、ＴＶユニット１０は、リモコン９を介した操作入力を受け付けなくなる。
【００８１】
電力供給制御部３１は、スタンバイモードから復帰するとき、または休止モードから復帰するときには、それぞれのモードにおいて電力の供給を遮断していたハードウェアに対する電力の供給を再開する。
【００８２】
なお、本明細書等において「スタンバイモード」とは、コンテンツ処理部１３においてＴＶコンテンツを生成しない、すなわち、コンテンツ出力部（映像出力部１１および音声出力部１２）からＴＶコンテンツが出力されない状態を意味している。また、「休止モード」とは、スタンバイモードの状態に加えて、ユーザー入力部１７（操作入力部）においてリモコン９（情報入力デバイス）からの操作入力を受け付けない状態を意味している。
【００８３】
なお、通常モードとは、スタンバイモードおよび休止モードのいずれのモードでもない場合を指す。
【００８４】
（ＰＣユニット２０の詳細）
ＰＣユニット２０を構成する各ブロックの機能について、以下に説明する。
【００８５】
コンテンツ処理部２１は、コンテンツ取得部２２が取得したＰＣコンテンツを処理する。コンテンツ取得部２２は、外部からＰＣコンテンツを取得する。例えば、コンテンツ取得部２２は、記録ディスク７からＰＣコンテンツを取得してもよいし、インターネット（通信ネットワーク）８を介してＰＣ内蔵テレビ１に接続されているサーバ装置あるいはクライアント装置からＰＣコンテンツを取得してもよい。
【００８６】
ここで、ＰＣコンテンツとは、コンピュータによって処理され再生可能なコンテンツのことである。ＰＣコンテンツには、例えばテキスト、静止画像、音声、動画像などのコンテンツが該当し、さらにこれらの組み合わせからなるマルチメディアコンテンツも該当する。他にも、ウェブページもＰＣコンテンツに含まれる。これらのＰＣコンテンツは各所から取得できる。取得先としては、インターネット８上のウェブサイト、ＰＣ内蔵テレビ１に接続された外部装置、および記録ディスク７を挙げることができる。
【００８７】
コンテンツ送信部２３は、コンテンツ処理部２１が処理したコンテンツをコンテンツ受信部１６へ送信する。コンテンツ送信部２３は、ＰＣユニット２０において生成したＰＣ映像を送信する映像送信手段と換言することもできる。
【００８８】
記憶部２４は、各種のＰＣコンテンツを記憶する。例えば、ハードディスク、フラッシュメモリなどの不揮発性の記憶装置として実現される。記憶部２４には、ＰＣコンテンツに加えて、アプリケーション実行部２８によって実行される各種のソフトウェアアプリケーションが記憶されている。
【００８９】
制御情報通信部２５は、制御情報通信部１８と制御情報のやり取りをする。具体的には、制御情報をＴＶユニット１０の制御情報通信部１８に送信したり、あるいは、制御情報通信部１８から送信された制御情報を受信したりする。
【００９０】
すなわち、制御情報通信部２５は制御情報通信部１８から動作モード情報を受信する。
【００９１】
ユーザ入力部２６は、ユーザによるＰＣ内蔵テレビ１に対する入力操作を受け付ける。具体的には、ユーザによる入力操作に応じて操作装置（本実施形態ではマウス５およびキーボード６）が発した信号を受信し、制御部２７に出力する。当該操作装置の他の例として、トラックボールおよびトラックパッドなどのポインティングデバイス、ならびにジョイスティックも含まれる。
【００９２】
制御部２７は、ＰＣユニット２０における動作全般を制御する。
【００９３】
アプリケーション実行部２８は、記憶部２４に記憶されているソフトウェアアプリケーションを読み出して実行する。
【００９４】
電力供給制御部３２は、ＴＶユニット１０から供給される電力をＰＣユニット２０を構成する各ハードウェアに供給する。
【００９５】
また、ＰＣユニット２０がスタンバイモードである場合、電力供給制御部３２は、コンテンツ処理部２１、コンテンツ取得部２２、コンテンツ送信部２３およびアプリケーション実行部２８として機能するハードウェア、ならびに記憶部２４に対する電力の供給を遮断する。すなわち、ＰＣコンテンツの生成に関する機能を有するハードウェアに対する電力の供給を遮断する。
【００９６】
さらに、ＴＶユニット１０が休止モードである場合、電力供給制御部３２は、スタンバイモードにおいて電力の供給を遮断するハードウェアに加えて、ユーザー入力部２６に対する電力の供給も遮断する。
【００９７】
電力供給制御部３１は、スタンバイモードから復帰するとき、または休止モードから復帰するときには、それぞれのモードにおいて電力の供給を遮断していたハードウェアに対する電力の供給を再開する。
【００９８】
なお、本明細書等において「スタンバイモード」とは、コンテンツ送信部２３からＰＣコンテンツが送信されない、すなわちコンテンツ出力部（映像出力部１１および音声出力部１２）からＰＣコンテンツが出力されない状態を意味している。また、「休止モード」とは、スタンバイモードの状態に加えて、ユーザー入力部２６（操作入力部）においてマウス５およびキーボード６（情報入力デバイス）からの操作入力を受け付けない状態を意味している。
【００９９】
なお、電源１５０は、ＰＣ内蔵テレビ１を構成する部材ではないが、便宜上、図１に図示している。
【０１００】
（ＰＣ内蔵テレビ１の詳細な内部構成）
次に、ＰＣ内蔵テレビ１の詳細な内部構成について、図３を参照して説明する。図３は、本実施形態に係るＰＣ内蔵テレビ１の詳細な内部構成を示すブロック図である。図１に示す各機能ブロックは、図３に示す各ブロックのいずれかまたはその組み合わせによって、実現される。
【０１０１】
ＲＦ（Ｒａｄｉｏ  Ｆｒｅｑｕｅｎｃｙ）受信部１０１は、外部から送られてくる信号を受信する。すなわち、ＲＦ受信部１０１は、例えば、地上波デジタル放送により伝送される映像信号などのデジタル放送信号を受け付ける映像信号入力部である。なお、ＲＦ部１０１が受信する信号は、地上波デジタル放送波として送られてくる信号に限定されるものではなく、例えば、一般のアナログ放送、衛星放送、またはケーブルテレビ放送により伝送される映像信号であってもよい。
【０１０２】
ＲＦ受信部１０１が受信する映像信号の形式としては、例えば、デジタル放送の場合はＭＰＥＧ２またはＭＰＥＧ４形式でデジタル化された映像信号を挙げることができる。また、ＲＦ受信部１０１に入力される信号は、上記の映像信号に限定されるものではなく、例えば、デジタル化されたオーディオ信号、データ放送、電子番組表情報またはネットワーク情報などのデジタル放送信号（放送波）であってもよい。
【０１０３】
デモジュレータ１０２は、ＲＦ受信部１０１に入力されたデジタル放送信号を復調し、デコーダ１０３に送る。
【０１０４】
デコーダ１０３は、例えばＭＰＥＧ２ＴＳなどの復調された信号を、ビデオ成分（信号）とオーディオ成分（信号）とに分解する。また、デコーダ１０３は、分解した信号のうちビデオ信号をデコードし、オーディオ信号をオーディオプロセッサ１０４に送る。このとき、オーディオ信号に付随するデータは、ＣＰＵ１０９に送られ、そこで処理される。
【０１０５】
オーディオプロセッサ１０４は、デコーダ１０３から受け取ったオーディオ信号をデコードする。なお、オーディオ信号には多数のフォーマットがあるため、通常、オーディオ信号のデコード処理はオーディオプロセッサ１０４にて行う。しかしながら、これに限定されるものではなく、デコーダ１０３またはＣＰＵ１０９において、オーディオ信号をデコードしてもよい。処理されたオーディオ信号は、スピーカ１０５に送られる。
【０１０６】
スピーカ１０５は、オーディオプロセッサ１０４においてデコードされたオーディオ信号を出力する。なお、本実施形態では、表示部１１２およびスピーカ１０５を備えたテレビの形態を示すが、これに限定されるものではなく、例えば、ＢＤ（Ｂｌｕ−Ｒａｙ）レコーダまたはＳＴＢ（Ｓｅｔ  Ｔｏｐ  Ｂｏｘ）などの場合、スピーカ１０５の代わりに、外部機器にオーディオ信号を出力してもよい。
【０１０７】
リモコン通信部１０６は、図示しないリモコンからの制御信号を受信する。制御信号を送信するリモコンとしては、例えば、１方向に信号を送信する赤外線リモコン、または双方向に信号を送信する無線リモコンが挙げられる。リモコン通信部１０６が受信した制御信号は、ＣＰＵ１０９に送られる。
【０１０８】
外部入力部１０７は、ＰＣユニット２０の映像出力部２０８から出力された信号を受信する。外部入力部１０７としては、例えば、ＨＤＭＩインターフェースまたはＤＶＩ−Ｄ端子などが挙げられる。また、外部入力部１０７が受信する信号は、デコードされたデータまたは圧縮形式のデータ（例えば、ＭＥＰＧ２またはＭＰＥＧ４形式のデータなど）を含む。
【０１０９】
外部入力部１０７が受信したオーディオ信号は、オーディオプロセッサ１０４に出力される。一方、外部入力部１０７が受信した映像信号は、グラフィックメモリ１１０に出力され、展開される。また、例えば、外部入力部１０７が受信した映像信号が圧縮画像であった場合、受信した映像信号は、デコーダ１０３をいったん経由してグラフィックメモリ１１０に送られる。なお、デコーダ１０３を経由するか否かによって、グラフィックメモリ１１０に出力される映像信号に本質的な差異は生じない。
【０１１０】
メモリ１０８は、プログラムまたはデータを格納するメモリである。
【０１１１】
ＣＰＵ１０９は、ＴＶユニット１０全体の制御を行うＣＰＵである。
【０１１２】
グラフィックメモリ１１０は、２つ以上の映像および表示データを保持する。表示データとしては、例えば、データ放送、およびＯＳＤ（オンスクリーンディスプレイ）データ、および設定メニューなどのデータが挙げられる。グラフィックメモリ１１０は、複数のプレーンからなり、それぞれのプレーンを重ね合わせたり、アルファブレンディングを行ったりすることが可能である。
【０１１３】
グラフィックコントローラ１１１は、グラフィックメモリ１１０に保持される映像および表示データを合成し、１画面を作成する。すなわち、グラフィックコントローラ１１１は、ＣＰＵ１０９からの制御に応じて、例えば、複数のプレーンの拡大縮小または位置設定などを行い、合成して最終画面を作り出す。この最終画面は、表示部１１２へ送られる。なお、グラフィックメモリ１１０およびグラフィックコントローラ１１１は、図１に示したコンテンツ合成部１４に相当する。
【０１１４】
表示部１１２は、グラフィックコントローラ１１１から受け取った映像を表示する。例えば液晶パネルなどの表示デバイスに映像を表示してもよいし、外部機器に映像データを出力してもよい。
【０１１５】
ＬＡＮ（Ｌｏｃａｌ  Ａｒｅａ  Ｎｅｔｗｏｒｋ）コントローラ１１３は、ネットワークを通じて外部機器と接続する。ＬＡＮコントローラ１１３は、ＤＬＮＡ（Ｄｉｇｉｔａｌ  Ｌｉｖｉｎｇ  Ｎｅｔｗｏｒｋ  Ａｌｌｉａｎｃｅ）などのホームネットワーク規格によって他の機器と接続しても、インターネットを通じて映像サービスと接続してもよい。また、外部機器との接続は、有線または無線のどちらでもよい。なお、ＬＡＮコントローラ１１３から取得された映像信号は、特に限定されないが、ＲＦ受信部１０１を通じて取得された映像信号と同様に扱うことが好ましい。
【０１１６】
Ｉ／Ｆ部１１４は、ＬＡＮ、ＵＳＢまたはシリアルなどを制御するインターフェース部である。Ｉ／Ｆ部１１４では、静止画などを含む制御情報をＰＣユニット２０とやり取りする。なお、Ｉ／Ｆ部１１４における制御情報の送受信方式は、特に限定されない。
【０１１７】
電源部１１５は、ＴＶユニット１０における電源回路である。また、電源部２０４は、ＰＣユニット２０における電源回路である。これらの電源部１１５，２０４は、共通の電源１５０から電力の供給を受ける。この際、１つのＡＣプラグによって電力の供給を受けることが望ましい。すなわち、電力供給制御部３１は、電源部１１５を制御する制御部であり、電力供給制御部３２は、電源部２０４を制御する制御部である。
【０１１８】
入力部２０１は、外部からの入力を受け付ける。このように、ＰＣユニット２０は、独自の入力部が存在し得る。入力部２０１としては、例えば、Ｂｌｕｅｔｏｏｔｈのワイヤレスキーボードまたはワイヤレスマウスなどを利用できることが好ましい。
【０１１９】
ＩＯプロセッサ２０２は、各種外部インターフェースを制御する。
【０１２０】
ＬＡＮコントローラ２０３は、ＩＰネットワークと接続する。なお、ＬＡＮコントローラ１１３とＬＡＮコントローラ２０３とは、互いに１つのＩＰアドレスを共用することが好ましい。また、ＴＶユニット１０およびＰＣユニット２０において、それぞれ個別のＬＡＮコントローラ１１３、２０３を備えている場合、ＰＣ内蔵のテレビ１の内部においてブリッジ機能を有することが好ましい。これにより、例えば、有線ＬＡＮを接続する場合に、１つのＬＡＮケーブルを挿すだけで、ＴＶユニット１０およびＰＣユニット２０を同時にネットワークに接続させることができる。
【０１２１】
メモリ２０５は、各種制御を行うＣＰＵ２０６のメモリである。
【０１２２】
ＣＰＵ２０６は、ＰＣユニット２０に含まれる各ブロックを統括的に制御する。例えば、圧縮されたＰＣコンテンツをソフトウェア的にデコードして、元のサイズのＰＣコンテンツに変換する。本実施形態において、ＰＣユニット２０は、ＴＶユニット１０におけるデコーダ１０３のようなハードウェアを備えていない。しかしながら、これに限定されるものではなく、例えば、ＰＣユニット２０がデコーダ１０３のようなハードウェアを備えていてもよい。
【０１２３】
グラフィックコントローラ２０７は、映像描画時のグラフィック処理を高速化する。
【０１２４】
映像出力部２０８は、グラフィックコントローラ２０７によって処理された映像信号を出力する。出力される映像信号の形式としては、例えばＨＤＭＩ規格のインターフェースを介して出力可能な形式などを挙げることができる。なお、オーディオ信号も映像信号と同様に、ＴＶユニット１０に出力される。
【０１２５】
記憶部２０９は、インターネット８または記録ディスク７を通じて取得されたＰＣコンテンツを恒久的に記憶する。記憶部２０９としては、例えば、ハードディスク、ＢＤ（Ｂｌｕ−ｒａｙ  Ｄｉｓｃ）、ＤＶＤ（Ｄｉｇｉｔａｌ  Ｖｉｄｅｏ  Ｄｉｓｃ）またはＵＳＢ（Ｕｎｉｖｅｒｓａｌ  Ｓｅｒｉａｌ  Ｂｕｓ）メモリなどが挙げられる。ＣＰＵ２０６は、ネットワークを経由して取得した映像、または記憶部２０９に記憶されている映像を再生し、ＴＶユニット１０に送信する。
【０１２６】
ここで、映像とは、動画に限定されるものではなく、音楽、書籍（テキスト）、写真（静止画像）、スライドショー、ワープロドキュメント、またはゲームなどのアプリケーションが作成する画面が挙げられる。
【０１２７】
（映像合成の流れの例）
ＰＣ内蔵テレビ１における、複数の映像の合成および表示処理の流れについて、図４を参照して説明する。図４は、ＰＣ内蔵テレビ１における映像合成および表示の流れの一例を示す図である。
【０１２８】
この図に示すように、ＰＣユニット２０のコンテンツ取得部２２は、映像５０（第２のコンテンツに含まれる第２の映像）および関連情報５２を取得する。取得先はたとえばインターネット８または記録ディスク７である。これらの映像５０および関連情報５２は、コンテンツ取得部２２、コンテンツ処理部２１、およびコンテンツ送信部２３を経由してＴＶユニット１０に送信される。ＴＶユニット１０では、コンテンツ受信部１６を経由してコンテンツ合成部１４に提供される。
【０１２９】
一方、ＴＶユニット１０のコンテンツ取得部１５は、映像５４（第１のコンテンツに含まれる第１の映像）および関連情報５６を取得する。取得先はたとえば放送局である。これらの映像５４および関連情報５２は、コンテンツ取得部１５、コンテンツ処理部１３を経由してコンテンツ合成部１４に提供される。なお、ＰＣユニット２０ａには、ＴＶユニット１０ａから、映像５０および関連情報５２をＴＶユニット１０ａに提供すべきことを規定した制御情報が事前に送信されている。ＰＣユニット２０ａは、この制御情報の受信に応じて映像５０および関連情報５２をＴＶユニット１０ａに提供する。
【０１３０】
コンテンツ合成部１４は、入力された映像５０、関連情報５２、映像５４、および関連情報５６を合成して１つの合成映像（合成コンテンツ）を生成する。本実施形態ではグラフィックメモリ１１０を利用し、３つのプレーンのそれぞれにデータを書き込む。具体的には第１のプレーンに映像５０、第２のプレーンに映像５４、そして第３のプレーンに関連情報５２および関連情報５６を書き込む。こうして得た３つのプレーンを重ね合わせ、図５に示す１つの合成映像を生成する。当該合成映像は映像出力部１１を経由してディスプレイ２に入力される。これらの処理の結果、ユーザはディスプレイ２を通じて当該合成映像を視認する。結果、放送番組を視聴しながら映画コンテンツをサブ画面で楽しむ、といったことが可能になる。
【０１３１】
（電源の連動）
ＰＣ内蔵テレビ１では、電源部１１５および電源部２０４が、共通の電源１５０から電力の供給を受ける。さらに、電源部２０４は、電源部１１５から電力の供給を受ける。すなわち、ＰＣ内蔵テレビ１では、ＴＶユニット１０の電源と、ＰＣユニット２０の電源とが連動する。これによって、ユーザは、ＰＣユニット２０を起動するための煩雑な操作をしなくてもよい。すなわち、ＴＶユニット１０の電源を入れると同時に、ＰＣの電源も入る。
【０１３２】
ＴＶユニット１０の起動完了後、ユーザは直ちに放送番組の視聴が可能になる。一方、ＰＣユニット２０の方が、ＴＶユニット１０よりも起動完了までに要する時間が長いため、ＴＶユニット１０の起動が完了した後もＰＣユニット２０の起動処理は続く。ユーザは、ＰＣユニット２０の起動完了まで無用に待つことなく、放送番組を楽しめる。また、ＰＣユニット２０の起動完了後は、リモコン９による簡単な操作によって、いつでもＰＣユニット２０を操作することができる。
【０１３３】
（スタンバイモードへの移行処理の詳細）
次に、ＴＶユニット１０およびＰＣユニット２０をスタンバイモードへ移行させる処理の詳細について、図５および図６を参照しつつ以下に説明する。
【０１３４】
初めに、同時表示モード（ＴＶ映像１００とＰＣ映像２００を同時にディスプレイ２に表示するモード）で動作しているＰＣ内蔵テレビ１を、ＴＶモード（ＴＶ映像１００のみをディスプレイ２に表示するモード）に変更する場合の処理について説明する。すなわち、ここではＰＣユニット２０をスタンバイモードに移行する移行処理の詳細について、図５を参照しつつ以下に説明する。図５は、ＰＣユニット２０をスタンバイモードに移行する処理を示すシーケンス図である。
【０１３５】
また、ＴＶユニット１０およびＰＣユニット２０をスタンバイモードへ移行させる処理を実行する際のディスプレイ２における状態の遷移を図７（ａ）〜（ｃ）に示す。図７（ａ）〜（ｃ）は、ＴＶユニット１０およびＰＣユニット２０のいずれかのユニットをスタンバイモードへ移行させたときのディスプレイ２における表示例を示す図であり、（ａ）は同時表示モードで映像を表示する場合を示しており、（ｂ）はＴＶモードで映像を表示する場合を示しており、（ｃ）ＰＣモードで映像を表示する場合を示している。
【０１３６】
まず、同時表示モードで動作しているＰＣ内蔵テレビ１（ステップＳ１）に対して、リモコン９などのＴＶユニットに接続された情報入力デバイスを用いてユーザーがＴＶモードへの変更を選択すると、制御部１９は、制御部情報通信部１８に対してＰＣユニット２０のスタンバイモードへの移行指示の送信を指示する。指示を受けた制御情報通信部１８は、ＰＣユニット２０の制御情報通信部２５に対して移行指示を送信する。
【０１３７】
制御情報通信部２５が移行指示を受信すると、制御部２７は、電力供給制御部３２に対してスタンバイモードにおいて動作しないハードウェアへの電力供給の遮断を指示する。すなわち、ＰＣユニット２０においてスタンバイモードへの移行処理を開始する（ステップＳ２）。
【０１３８】
このとき、ＰＣユニット２０は、制御情報通信部２５を介して自ユニットにおける状態を示す状態情報をＴＶユニット１０に対して送信する。ＴＶユニット１０の制御情報通信部１８がＰＣユニット２０からの状態情報を受信すると、コンテンツ合成部１４は、状態情報に基づいて生成した映像をＴＶコンテンツ（ＴＶ映像）に合成してディスプレイ２に表示する（ステップＳ３）。ＰＣユニット２０からの状態情報がスタンバイモードへの移行中であることを示す情報であれば、ディスプレイ２には「ＰＣユニット２０がスタンバイモードへの移行中」であることを示すコーション情報が表示される。ＰＣユニット２０からの状態情報がスタンバイモードへの移行がどの程度完了しているのかを示す情報も含む場合には、ディスプレイ２には、上記の情報に加えて、スタンバイモードへの移行度合いを示すバーを表示するようにしてもよい。
【０１３９】
なお、ＰＣユニット２０のスタンバイモードへの移行状態を示す表示は、ユーザーの指定により表示しないようにしてもよい。
【０１４０】
次に、指示を受けた電力供給制御部３２が、コンテンツ処理部２１、コンテンツ取得部２２、コンテンツ送信部２３、アプリケーション実行部２８として機能するハードウェアおよび記憶部２４に対する電力の供給を遮断することにより、ＰＣユニット２０のスタンバイモードへの移行が完了する（ステップＳ４）。ＰＣユニット２０は、スタンバイモードへの移行が完了すると、制御情報通信部２５を介して移行完了通知をＴＶユニット１０に対して送信する。
【０１４１】
ＴＶユニット１０の制御情報通信部１８がＰＣユニット２０からの移行完了通知を受信すると、ＴＶユニット１０は、ＴＶ映像をディスプレイ２の全画面で表示する（ステップＳ５）。すなわち、ＰＣユニット２０は、ＰＣコンテンツの生成および生成したＰＣコンテンツのＴＶユニット１０への送信を停止するため、ディスプレイ２に表示される映像の表示形態が、図７（ａ）に示す表示から図７（ｂ）に示す表示に表示形態が変更される。すなわち、ＴＶ映像１００にＰＣ映像２００が小画面としてＰｉｎＰで表示されていた表示形態から、ＴＶ映像１００のみが表示される表示形態へと変更される。
【０１４２】
なお、上述した動作では、ＴＶユニット１０からの指示に基づいてＰＣユニットをスタンバイモードに移行する場合を例に挙げて説明しているが、マウス５またはキーボード６を用いてＰＣユニット２０をスタンバイモードに移行するようにしてもよい。この場合、スタンバイモードへの移行指示がユーザー入力部２６に入力されると、制御部２７が電力供給制御部３２に対して、スタンバイモードにおいて動作しないハードウェアへの電力供給の遮断を指示する。
【０１４３】
続いて、同時表示モードで動作しているＰＣ内蔵テレビ１を、ＰＣモード（ＰＣ映像２００のみをディスプレイ２に表示するモード）に移行する場合の処理について説明する。すなわち、ここではＴＶユニット１０をスタンバイモードに移行する移行処理の詳細について、図６を参照しつつ以下に説明する。図６は、ＴＶユニット１０をスタンバイモードに移行する処理を示すシーケンス図である。
【０１４４】
まず、同時表示モードで動作しているＰＣ内蔵テレビ１（ステップＳ１０）に対して、リモコン９などのＴＶユニットに接続された情報入力デバイスを用いてユーザーがＰＣモードへの変更を選択すると、制御情報通信部１８は、ＰＣユニット２０に対してスタンバイモードへの移行通知を送信する。また、制御部１９は、電力供給制御部３１に対してスタンバイモードにおいて動作しないハードウェアへの電力供給の遮断を指示する。すなわち、ＴＶユニット１０においてスタンバイモードへの移行処理を開始する（ステップＳ１１）。
【０１４５】
このとき、コンテンツ合成部１４は、自ユニットにおける状態を示す状態情報に基づいて生成した映像をＴＶコンテンツ（ＴＶ映像）に合成してディスプレイ２に表示する（ステップＳ１２）。ここで表示する映像は、上述したＰＣユニット２０をスタンバイモードへ移行する場合の映像と同様である。したがって、ＴＶユニット１０のスタンバイモードへの移行状態を示す表示は、ユーザーの指定により表示しないようにすることもできる。
【０１４６】
次に、指示を受けた電力供給制御部３１が、コンテンツ処理部１３およびコンテンツ取得部１５として機能するハードウェアに対する電力の供給を遮断することにより、ＴＶユニット１０のスタンバイモードへの移行が完了する（ステップＳ１３）。
【０１４７】
ＴＶユニット１０のスタンバイモードへの移行が完了すると、ＰＣユニット２０は、コンテンツ送信部２３を介してＰＣコンテンツを送信し、制御情報通信部２５を介して送信したＰＣコンテンツの表示サイズを指定するスケーリング情報を送信する。コンテンツ合成部１４では、受信したＰＣコンテンツおよび受信したスケーリング情報からＰＣ映像を生成し、ディスプレイ２の全画面で表示する（ステップＳ１４）。すなわち、ＴＶユニット１０は、ＴＶコンテンツの生成を停止するため、ディスプレイ２に表示される映像の表示形態が、図７（ａ）に示す表示から図７（ｃ）に示す表示に表示形態が変更される。すなわち、ＴＶ映像１００にＰＣ映像２００が小画面としてＰｉｎＰで表示されていた表示形態から、ＰＣ映像２００のみが表示される表示形態へと変更される。
【０１４８】
なお、上述した動作では、リモコン９からの指示に基づいてＴＶユニット１０をスタンバイモードに移行する場合を例に挙げて説明しているが、マウス５またはキーボード６を用いてＴＶユニット１０をスタンバイモードに移行するようにしてもよい。この場合、ＴＶユニット１０に対するスタンバイモードへの移行指示が制御情報通信部２５を介してＴＶユニット１０に対して送信される。その後、ステップＳ１１からの処理が実行される。
【０１４９】
また、ＰＣユニット２０は、所定の時間以上、外部からの入力信号がない場合に、自動的にスタンバイモードに移行するようにしてもよい。
【０１５０】
ここで、上述した動作処理では、ＴＶユニット１０またはＰＣユニット２０をスタンバイモードに移行する場合を例に挙げて説明しているが、休止モードに移行する場合であっても同様である。休止モードに移行する場合には、電力供給制御部３１は、ユーザー入力部１７として機能するハードウェアに対する電力の供給も遮断する。また、電力供給制御部３２は、ユーザー入力部２６として機能するハードウェアに対する電力の供給も遮断する。
【０１５１】
また、スタンバイモードまたは休止モードにおいても動作するハードウェアは、ＴＶユニット１０およびＰＣユニット２０にそれぞれ備えられているサブマイコンにより制御されることになる。
【０１５２】
（ＰＣ内蔵テレビ１の利点）
以上説明したように、ＰＣ内蔵テレビ１では、ＰＣユニット２０を動作させるための電力は、ＴＶユニット１０から供給される。これによって、ＴＶユニット１０に対する電力の供給を行うのみで、ＴＶユニット１０およびＰＣユニット２０のいずれも起動させることができる。
【０１５３】
さらに、ＰＣ内蔵テレビ１におけるＴＶユニット１０は、ＴＶコンテンツを再生しない場合に動作させる必要がないコンテンツ処理部１３およびコンテンツ取得部１５として機能するハードウェアに対して電力の供給を行わないようにすることができる。また、ＰＣユニット２０は、ＰＣコンテンツを再生しない場合に動作させる必要がないコンテンツ処理部２１、コンテンツ取得部２２、コンテンツ送信部２３、アプリケーション実行部２８として機能するハードウェアおよび記憶部２４に対して電力の供給を行わないようにすることができる。
【０１５４】
これによって、ＰＣ内蔵テレビ１では、ＴＶコンテンツを再生しない場合には、ＴＶコンテンツの生成に関する機能を有するハードウェアに対する電力の供給を停止して消費電力を削減すると共に、ＰＣコンテンツを再生しない場合には、ＰＣコンテンツの生成に関する機能を有するハードウェアに対する電力の供給を停止して消費電力を削減することができる。
【０１５５】
（スタンバイモードからの復帰処理）
次に、ＴＶユニット１０およびＰＣユニット２０のスタンバイモードからの復帰処理の詳細について、図８および図９を参照しつつ以下に説明する。
【０１５６】
初めに、ＴＶモードで動作しているＰＣ内蔵テレビ１を同時表示モードに変更する場合の処理について説明する。すなわち、ここではスタンバイモードのＰＣユニット２０を復帰する復帰処理の詳細について、図８を参照しつつ以下に説明する。図８は、ＰＣユニット２０をスタンバイモードから復帰させる処理を示すシーケンス図である。
【０１５７】
また、ＰＣユニット２０をスタンバイモードから復帰させる処理を実行する際のディスプレイ２における状態の遷移を図９（ａ）および（ｂ）に示す。図９（ａ）および（ｂ）は、ＰＣユニット２０をスタンバイモードから復帰させたときのディスプレイ２における表示の遷移を示す図であり、（ａ）はＴＶモードで映像を表示する場合を示しており、（ｂ）は同時表示モードで映像を表示する場合を示している。
【０１５８】
まず、ＴＶモードで動作しているＰＣ内蔵テレビ１（ステップＳ２０）に対して、リモコン９などのＴＶユニットに接続された情報入力デバイスを用いてユーザーが同時表示モードへの変更を選択すると、制御部１９は、制御部情報通信部１８に対してＰＣユニット２０のスタンバイモードからの復帰指示の送信を指示する。指示を受けた制御情報通信部１８は、ＰＣユニット２０の制御情報通信部２５に対して復帰指示を送信する。
【０１５９】
ＰＣユニット２０の制御情報通信部２５が復帰指示を受信すると、制御部２７は、電力供給制御部３２に対してスタンバイモードにおいて動作しないハードウェア、すなわち電力の供給が遮断されているハードウェア（コンテンツ処理部２１、コンテンツ取得部２２、コンテンツ送信部２３およびアプリケーション実行部２８として機能するハードウェア、ならびに記憶部２４）への電力供給の再開を指示する。すなわち、ＰＣユニット２０においてスタンバイモードからの復帰処理を開始する（ステップＳ２１）。
【０１６０】
このとき、ＰＣユニット２０は、制御情報通信部２５を介して自ユニットにおける状態を示す状態情報をＴＶユニット１０に対して送信する。ＴＶユニット１０の制御情報通信部１８がＰＣユニット２０からの状態情報を受信すると、コンテンツ合成部１４は、状態情報に基づいて生成した映像をＴＶコンテンツ（ＴＶ映像）に合成してディスプレイ２に表示する（ステップＳ２２）。ＰＣユニット２０からの状態情報がスタンバイモードからの復帰中であることを示す情報であれば、ディスプレイ２には「ＰＣユニット２０がスタンバイモードからの復帰中」であることを示すコーション情報が表示される。ＰＣユニット２０からの状態情報がスタンバイモードからの復帰がどの程度完了しているのかを示す情報も含む場合には、ディスプレイ２には、上記の情報に加えて、スタンバイモードからの復帰度合いを示すバーを表示するようにしてもよい。
【０１６１】
なお、ＰＣユニット２０のスタンバイモードからの復帰状態を示す表示は、ユーザーの指定により表示しないようにしてもよい。
【０１６２】
次に、指示を受けた電力供給制御部３２が、コンテンツ処理部１３およびコンテンツ取得部１５として機能するハードウェアに対する電力の供給を再開することにより、ＰＣユニット２０のスタンバイモードからの復帰が完了する（ステップＳ２３）。ＰＣユニット２０は、スタンバイモードからの復帰が完了すると、制御情報通信部２５を介して復帰完了通知をＴＶユニット１０に対して送信する。
【０１６３】
ＴＶユニット１０の制御情報通信部１８がＰＣユニット２０からの移行完了通知を受信すると、ＴＶユニット１０は、ＴＶ映像およびＰＣ映像の同時表示処理を開始する（ステップＳ２４）。すなわち、ＴＶユニット１０の制御情報通信部１８は、ＰＣユニット２０からＰＣ映像の取得要求を送信する。ＰＣユニット２０の制御情報通信部２５がＰＣ映像の取得要求を受信すると、コンテンツ送信部２３がＰＣ映像をＴＶユニット１０に対して送信する。また同時に、制御情報通信部２５は、送信したＰＣ映像の表示サイズを指定するスケーリング情報をＴＶユニット１０に対して送信する。
【０１６４】
ＰＣ映像およびスケーリング情報を受信したＴＶユニット１０は、コンテンツ合成部１４においてＴＶ映像に、スケーリング情報により指定される表示サイズにスケーリング処理したＰＣ映像を合成した合成映像を生成し、生成した合成映像をディスプレイ２に表示する（ステップＳ２５）。これによって、ディスプレイ２に表示される映像の表示形態が、図９（ａ）に示す表示形態から図９（ｂ）に示す表示形態に変更される。すなわち、ＴＶ映像１００のみが表示される表示形態から、ＴＶ映像１００にＰＣ映像２００が小画面としてＰｉｎＰで表示されていた表示形態へと変更される。なお、変更後の表示形態は、図９（ｂ）に示すようなＰｉｎＰ形式であってもよいし、ＰｏｕｔＰ形式であってもよい。
【０１６５】
なお、上述した動作では、ＴＶユニット１０からの指示に基づいてＰＣユニットをスタンバイモードから復帰する場合を例に挙げて説明しているが、マウス５またはキーボード６を用いてＰＣユニット２０をスタンバイモードから復帰するようにしてもよい。この場合、スタンバイモードからの復帰指示がユーザー入力部２６に入力されると、制御部２７が電力供給制御部３２に対して、スタンバイモードにおいて動作していないハードウェア（コンテンツ処理部２１、コンテンツ取得部２２、コンテンツ送信部２３およびアプリケーション実行部２８として機能するハードウェア、ならびに記憶部２４）への電力供給の再開を指示する。
【０１６６】
続いて、ＰＣモードで動作しているＰＣ内蔵テレビ１を、同時表示モードに移行する場合の処理について説明する。すなわち、ここではＴＶユニット１０をスタンバイモードから復帰する復帰処理の詳細について、図１０を参照しつつ以下に説明する。図１０は、ＴＶユニット１０をスタンバイモードから復帰する処理を示すシーケンス図である。
【０１６７】
また、ＴＶユニット１０をスタンバイモードから復帰させる処理を実行する際のディスプレイ２における状態の遷移を図１１（ａ）および（ｂ）に示す。図１１（ａ）および（ｂ）は、ＴＶユニット１０をスタンバイモードから復帰させたときのディスプレイ２における表示の遷移を示す図であり、（ａ）はＰＣモードで映像を表示する場合を示しており、（ｂ）は同時表示モードで映像を表示する場合を示している。
【０１６８】
まず、ＰＣモードで動作しているＰＣ内蔵テレビ１（ステップＳ３０）に対して、リモコン９などのＴＶユニットに接続された情報入力デバイスを用いてユーザーが同時表示モードへの変更を選択すると、制御部１９は、電力供給制御部３１に対してスタンバイモードにおいて動作していないハードウェア（コンテンツ処理部１３およびコンテンツ取得部１５として機能するハードウェア）への電力供給の再開を指示する。すなわち、ＴＶユニット１０においてスタンバイモードからの復帰処理を開始する（ステップＳ３１）。
【０１６９】
このとき、コンテンツ合成部１４は、自ユニットにおける状態を示す状態情報に基づいて生成した映像をＰＣコンテンツ（ＰＣ映像）に合成してディスプレイ２に表示する（ステップＳ３２）。ここで表示する映像は、上述したＰＣユニット２０をスタンバイモードからの復帰させる場合の映像と同様である。したがって、ＴＶユニット１０のスタンバイモードからの復帰状態を示す表示は、ユーザーの指定により表示しないようにすることもできる。
【０１７０】
次に、指示を受けた電力供給制御部３１が、コンテンツ処理部１３およびコンテンツ取得部１５として機能するハードウェアに対する電力の供給を再開することにより、ＴＶユニット１０のスタンバイモードからの復帰処理が完了する（ステップＳ３３）。
【０１７１】
ＴＶユニット１０のスタンバイモードからの復帰が完了すると、ＰＣユニット２０は、コンテンツ送信部２３を介してＰＣコンテンツを送信すると共に、制御情報通信部２５を介して、送信したＰＣコンテンツの表示サイズを指定するスケーリング情報を送信する。
【０１７２】
ＰＣ映像およびスケーリング情報を受信したＴＶユニット１０は、コンテンツ合成部１４において、スケーリング情報に基づいてスケーリング処理したＰＣ映像に、所定の表示サイズにスケーリング処理したＴＶ映像を合成した合成映像を生成する（ステップＳ３４）。そして、ＰＣ内蔵テレビ１は、生成した合成映像をディスプレイ２に表示する（ステップＳ３５）。これによって、ディスプレイ２に表示される映像の表示形態が、図１１（ａ）に示す表示形態から図１１（ｂ）に示す表示形態に変更される。すなわち、ＰＣ映像２００のみが表示される表示形態から、ＰＣ映像２００にＴＶ映像１００が小画面としてＰｉｎＰで表示されていた表示形態へと変更される。なお、変更後の表示形態は、図１１（ｂ）に示すようなＰｉｎＰ形式であってもよいし、ＰｏｕｔＰ形式であってもよい。
【０１７３】
なお、上述した動作では、リモコン９からの指示に基づいてＴＶユニット１０をスタンバイモードから復帰させる場合を例に挙げて説明しているが、マウス５またはキーボード６を用いてＴＶユニット１０をスタンバイモードから復帰させるようにしてもよい。この場合、ＴＶユニット１０に対するスタンバイモードからの復帰指示が制御情報通信部２５を介してＴＶユニット１０に対して送信される。その後、ステップＳ３１からの処理が実行される。
【０１７４】
ここで、上述した動作処理では、ＴＶユニット１０またはＰＣユニット２０をスタンバイモードから復帰する場合を例に挙げて説明しているが、休止モードからの復帰処理の場合であっても同様である。休止モードから移行させる場合には、電力供給制御部３１は、ユーザー入力部１７として機能するハードウェアに対する電力の供給も再開する。また、電力供給制御部３２は、ユーザー入力部２６として機能するハードウェアに対する電力の供給も再開する。ただし、ＰＣモードで動作しているＰＣ内蔵テレビ１を同時表示モードに変更する場合、すなわちＴＶユニットを休止モードから復帰させる場合、リモコン９によるＴＶユニット１０に対しての操作入力を受け付け不可能な状態であるため、ＰＣユニット２０に接続された情報入力デバイスを用いてＴＶユニット１０を復帰させる必要がある。
【０１７５】
（復帰処理におけるＰＣ内蔵テレビ１の利点）
このように、ＰＣユニット２０は、制御情報通信部２５においてＰＣコンテンツの取得要求をＴＶユニット１０から受信したときに、コンテンツ処理部２１、コンテンツ取得部２２、コンテンツ送信部２３、アプリケーション実行部２８として機能するハードウェアおよび記憶部２４に対する電力の供給を開始する。
【０１７６】
これによって、ＴＶユニット１０に対する操作により、ＰＣユニット２０におけるＰＣコンテンツの生成を開始させることができる。すなわち、ＴＶユニット１０を操作することによって両者を連携して動作させることができる。
【０１７７】
また、ＰＣユニット２０がスタンバイモードである場合には、ＰＣユニット２０は、自ユニットに備えられた情報入力デバイス（マウス５、キーボード６など）から入力される操作入力信号を受信したときに、ＰＣユニット２０におけるＰＣコンテンツの生成を再開させることができる。これによって、ユーザーは、煩雑な操作を行うことなくＰＣコンテンツの生成を再開させることができる。
【０１７８】
また、ＰＣ内蔵テレビ１では、ＰＣユニット２０において生成したＰＣコンテンツをＴＶユニット１０に対して送信できるようになるまでの間、ＰＣユニット２０の状態を示す状態情報に基づいて生成した映像を含むＴＶコンテンツを再生する。
【０１７９】
これによって、ユーザーは、ＰＣユニット２０の状態がどのような状態であるのかを容易に認識することができる。
【０１８０】
また、ＰＣユニット２０と同様に、ＴＶユニット１０は、制御情報通信部１８がＴＶコンテンツの再生を指示する再生指示要求をＰＣユニット２０から受信したときに、コンテンツ処理部１３およびコンテンツ取得部１５として機能するハードウェアに対する電力の供給を開始する。
【０１８１】
これによって、ＰＣユニット２０に対する操作により、ＴＶユニット１０におけるＴＶコンテンツの生成を再開させることができる。すなわち、ＰＣユニット２０を操作することによって両者を連携して動作させることができる。
【０１８２】
（ＰＣ内蔵テレビ１の起動時における電力の供給）
次に、ＰＣ内蔵テレビ１を起動したときの各ユニットに対する電力の供給について以下に説明する。
【０１８３】
ＰＣ内蔵テレビ１におけるＴＶユニット１０には、シャットダウンされた時点での動作モードを記憶する記憶部（図示しない）を備えている。すなわち、ＰＣ内蔵テレビ１は、自装置のシャットダウン時の動作モードがＴＶモードであったのか、ＰＣモードであったのか、あるいは同時表示モードであったのかを記憶している。
【０１８４】
ＰＣ内蔵テレビ１の電源ボタンが押下され、ＰＣ内蔵テレビ１に対して電力の供給が開始されると、ＴＶユニット１０の電力供給制御部３１は、不図示の記憶部より、直近のシャットダウン時の動作モードを読み出す。
【０１８５】
読み出した動作モードが同時表示モードであった場合には、電力供給制御部３１は、自ユニットの各ハードウェアに対する電力の供給を開始すると共に、ＰＣユニット２０の電力供給制御部３２に対して、記憶部から読み出した動作モードが同時表示モードであることを示す情報を通知する。
【０１８６】
同時表示モードであることを示す情報を受信した電力供給制御部３２は、自ユニットの各ハードウェアに対する電力の供給を開始する。
【０１８７】
これによって、ＴＶユニット１０およびＰＣユニット２０のいずれもが通常モードで動作するため、ディスプレイ２にＴＶ映像およびＰＣ映像を同時に表示させることができる。
【０１８８】
次に、読み出した動作モードがＴＶモードであった場合には、電力供給制御部３１は、自ユニットの各ハードウェアに対する電力の供給を開始すると共に、ＰＣユニット２０の電力供給制御部３２に対して、記憶部から読み出した動作モードがＴＶモードであることを示す情報を通知する。
【０１８９】
ＴＶモードであることを示す情報を受信した電力供給制御部３２は、自ユニットの各ハードウェアのうち、コンテンツ処理部１３およびコンテンツ取得部１５として機能するハードウェアに対しては電力の供給を行わない。
【０１９０】
これによって、ＴＶユニット１０は通常モードで動作するものの、ＴＶユニット２０はスタンバイモードで動作するため、ディスプレイ２にＴＶ映像のみが表示されることになる。
【０１９１】
最後に、読み出した動作モードがＰＣモードであった場合には、電力供給制御部３１は、自ユニットの各ハードウェアのうち、コンテンツ処理部２１、コンテンツ取得部２２、コンテンツ送信部２３およびアプリケーション実行部２８として機能するハードウェア、ならびに記憶部２４に対しては電力の供給を行わない。同時に、電力供給制御部３１は、ＰＣユニット２０の電力供給制御部３２に対して、記憶部から読み出した動作モードがＰＣモードであることを示す情報を通知する。
【０１９２】
ＰＣモードであることを示す情報を受信した電力供給制御部３２は、自ユニットの各ハードウェアに対して電力の供給を開始する。
【０１９３】
これによって、ＴＶユニット１０はスタンバイモードで動作するものの、ＴＶユニット２０は通常モードで動作するため、ディスプレイ２にＰＣ映像のみが表示されることになる。
【０１９４】
なお、ＰＣ内蔵テレビ１は、シャットダウン時の動作モードがＴＶモードおよびＰＣモードである場合には、ＴＶモード時のＰＣユニット２０およびＰＣモード時のＴＶユニット１０のより詳細な状態を記憶するようにしてもよい。すなわち、ＴＶモード時にＰＣユニット２０がスタンバイモードであったのか、あるいは休止モードであったのかについても記憶するようにしてもよい。これを記憶しておくことによって、次に、ＰＣ内蔵テレビ１を起動する際に、ＰＣモードをスタンバイモードで起動させたり、休止モードで起動させたりすることもできるようになる。なお、ＰＣモードで起動させるときのＴＶユニット１０についても同様である。
【０１９５】
このように、ＰＣ内蔵テレビ１では、電力供給制御部３２は、ＴＶユニット１０に対して電源からの電力の供給が開始されるとき、すなわちＰＣ内蔵テレビ１の起動時に、電力供給制御部３１から受信した動作モード情報に基づいて、ＰＣユニット２０に備えられたハードウェアのそれぞれに対する電力の供給要否を決定する。
【０１９６】
これによって、ＰＣユニット２０は、装置の起動時には、電力供給制御部３１から受信した動作モード情報に基づいてハードウェアのそれぞれに対する電力の供給要否を決定することができる。例えば、ＴＶユニット１０がＰＣ内蔵テレビ１が直近に起動していた際の動作モード情報を記憶する記憶部を備えている場合には、次の起動時においても直近に起動していたときのモードでＰＣユニット２０を起動させることができる。
【０１９７】
（付記事項）
本発明に係るＰＣ内蔵テレビは、ＰＣユニットがＰＣ内蔵テレビから着脱可能な構成であってもよい。ＰＣユニットがＰＣ内蔵テレビから着脱可能なＰＣ内蔵テレビについて図１２（ａ）および（ｂ）ならびに図１３を参照しつつ以下に説明する。
【０１９８】
図１２（ａ）および（ｂ）は、ＰＣ内蔵テレビ１ａの外観を示す図であり、（ａ）は、着脱可能なＰＣユニット２０ａがＴＶユニット１０ａに装着された後のＰＣ内蔵テレビ１ａを表示画面側から見た場合の外観を示す図であり、（ｂ）は、着脱可能なＰＣユニット２０ａがＴＶユニット１０ａに装着される前のＰＣ内蔵テレビ１ａを背面側から見た場合の外観を示す図である。
【０１９９】
この図に示すように、ＰＣ内蔵テレビ１ａは、ＴＶユニット１０ａおよびＰＣユニット２０ａによって構成されている。この点においては、ＰＣ内蔵テレビ１と何ら変わりはない。しかし、ＰＣ内蔵テレビ１ａでは、ＰＣユニット２０ａがＰＣ内蔵テレビ１ａから着脱可能である。したがって、ＰＣ内蔵テレビ１の拡張性および保守性を高めることができる。なお、装着を解除した後、ＴＶユニット１０ａおよびＰＣユニット２０ａは、それぞれ単独で利用することができる。
【０２００】
ＰＣユニット２０ａには、図１２（ａ）に示すように、複数の外部端子１５１〜１５３が設けられている。外部端子１５１〜１５３としては、具体的には、イーサネット（登録商標）端子、ＵＳＢ端子、および映像／音声入出力端子などを挙げることができる。また、図１２（ｂ）に示すように、ＰＣユニット２０ａには、ＴＶユニット１０ａと信号をやり取りするための外部端子１５４〜１５６も設けられている。外部端子１５４〜１５６としては、具体的には、映像信号（ＨＤＭＩ信号を含むＳＤＶＯ：Ｓｅｒｉａｌ  Ｄｉｇｉｔａｌ  Ｖｉｄｅｏ  ＯｕｔＰｕｔ）端子、制御信号端子、および電源端子などを挙げることができる。これらの端子があることによって、ＰＣユニット２０ａとＴＶユニット１０ａとの間で、映像信号、制御信号、および電源信号を互いに送受信できる。なお、上述した端子に加えて音声信号端子を設け、音声信号を互いに送受信することも当然に可能である。
【０２０１】
ＰＣユニット２０ａは単体で動作可能であり、製品として成り立つ。回路および配線はＰＣユニット２０ａの内部に全て収められ、外部には一切むき出しにされていない。ＴＶユニット１０ａも同様である。したがって両者の接続時に配線の手間が一切不要である。すなわち、ＰＣユニット２０ａをＴＶユニット１０ａに取り付ける場合には、ユーザーはＰＣユニット２０ａをＴＶユニット１０ａに設けられているＰＣユニット装着部位に取り付ければよい。ＰＣ内蔵テレビ１ａでは、ＰＣユニット２０ａをＴＶユニット１０ａに装着する手順が非常に容易であると換言することができる。
【０２０２】
ＰＣ内蔵テレビ１ａから外したＰＣユニット２０ａは、周辺機器に接続させることによって、様々な用途に活用できる。たとえば、モニタと接続可能なクレードルに、取り外したＰＣユニット２０ａを装着する。こうすれば、ＰＣユニット２０ａをデスクトップコンピュータとして使用できる。なお、ＰＣユニット２０ａとクレードルとを接続する端子としては、他にもイーサネット（登録商標）端子、およびシリアルポート端子を利用することができる。
【０２０３】
図１３は、ＰＣ内蔵テレビ１ａの要部構成を示すブロック図である。この図に示すように、ＴＶユニット１０ａのコンテンツ取得部１５は、アンテナ４を通じての他、記録ディスク７からも、インターネット８を通じてからも、また外部機器（外部記憶装置）１６０からも、再生対象のコンテンツを取得できる。すなわち、ＴＶユニット１０ａが処理するコンテンツは、放送番組に限らず、たとえばテキスト、映像、音声、動画等のコンテンツも該当し、さらにこれらの組み合わせからなるマルチメディアコンテンツも該当する。他にも、ウェブページも含まれる。
【０２０４】
以上のように、ＰＣユニット２０ａは周辺機器を活用した拡張性を有しており、従来の汎用コンピュータに比べて活用の幅が広い。また、仮にＰＣユニット２０ａをＴＶユニット１０ａから離脱させた状態でも、あるいはＰＣユニット２０ａが故障した場合でも、ＴＶユニット１０ａ単独で、放送番組および各種のコンテンツを外部から取得することができる。
【０２０５】
また、ＰＣ内蔵テレビ１を構成するＰＣユニット２０は１つに限定されるものではなく、複数であってもよい。本発明に係る映像表示装置における第２の映像生成ユニットが、ＰＣユニットである場合を例に挙げて説明しているが、これに限定されるものではない。第２の映像生成ユニットとしては、ＰＣユニット以外にも例えば、光ディスク再生（録画）ユニット、およびハードディスクレコーダユニットであってもよい。また、本発明に係る映像表示装置において第２の映像生成ユニットが複数備えられている場合には、第２の映像生成ユニットが互いに異なる種類のユニットであってもよい。
【０２０６】
（プログラムおよび記録媒体）
最後に、ＰＣ内蔵テレビ１を構成するＴＶユニット１０およびＰＣユニット２０に含まれる各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【０２０７】
すなわちＴＶユニット１０およびＰＣユニット２０は、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、および、上記プログラムおよび各種データを格納するメモリ等の記憶装置（記録媒体）を備えている。この構成により、本発明の目的は、所定の記録媒体によっても、達成できる。
【０２０８】
この記録媒体は、上述した機能を実現するソフトウェアであるＴＶユニット１０およびＰＣユニット２０のプログラムのプログラムコード（実行形式プログラム、中間コードプログラム、ソースプログラム）をコンピュータで読み取り可能に記録していればよい。ＴＶユニット１０およびＰＣユニット２０に、この記録媒体を供給する。これにより、コンピュータとしてのＴＶユニット１０およびＰＣユニット２０（またはＣＰＵやＭＰＵ）が、供給された記録媒体に記録されているプログラムコードを読み出し、実行すればよい。
【０２０９】
プログラムコードをＴＶユニット１０およびＰＣユニット２０に供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０２１０】
また、ＴＶユニット１０およびＰＣユニット２０を通信ネットワークと接続可能に構成しても、本発明の目的を達成できる。この場合、上記のプログラムコードを、通信ネットワークを介してＴＶユニット１０およびＰＣユニット２０に供給する。この通信ネットワークはＴＶユニット１０およびＰＣユニット２０にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０２１１】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【０２１２】
なお、ＰＣ内蔵テレビ１ａを構成する各ブロックにおいても同様である。
【産業上の利用可能性】
【０２１３】
本発明に係る映像表示装置は、ＰＣユニットを内蔵したテレビジョン受像機として好適に利用することができる。
【符号の説明】
【０２１４】
１      ＰＣ内蔵テレビ（コンテンツ再生装置）
１ａ    ＰＣ内蔵テレビ（コンテンツ再生装置）
２      ディスプレイ
３      スピーカ
４      アンテナ
５      マウス（第２の操作入力デバイス）
６      キーボード（第２の操作入力デバイス）
７      記録ディスク
８      インターネット
９      リモコン（第１の操作入力デバイス）
１０    ＴＶユニット（第１のユニット）
１０ａ  ＴＶユニット（第１のユニット）
１１    映像出力部（コンテンツ再生手段）
１２    音声出力部（コンテンツ再生手段）
１３    コンテンツ処理部（第１のコンテンツ生成手段）
１４    コンテンツ合成部
１５    コンテンツ取得部（第１のコンテンツ生成手段）
１６    コンテンツ受信部（コンテンツ取得手段）
１７    ユーザ入力部（第１の入力信号受信手段）
１８    制御情報通信部（動作モード情報送信手段、制御情報受信手段）
１９    制御部
２０    ＰＣユニット（第２のユニット）
２０ａ  ＰＣユニット（第２のユニット）
２１    コンテンツ処理部（第２のコンテンツ生成手段）
２２    コンテンツ取得部（第２のコンテンツ生成手段）
２３    コンテンツ送信部（コンテンツ送信手段）
２４    記憶部
２５    制御情報通信部（動作モード情報受信手段、制御情報送信手段）
２６    ユーザ入力部（第２の入力信号受信手段）
２７    制御部
２８    アプリケーション実行部（実行手段、第２のコンテンツ生成手段）
３１    電力供給制御部（動作モード情報送信手段、第１の電力供給制御手段、供給手段）
３２    電力供給制御部（動作モード情報受信手段、第２の電力供給制御手段）
１５０  電源
【図１】
2010257424.tif 000003
【図２】
2010257424.tif 000004
【図３】
2010257424.tif 000005
【図４】
2010257424.tif 000006
【図５】
2010257424.tif 000007
【図６】
2010257424.tif 000008
【図７】
2010257424.tif 000009
【図８】
2010257424.tif 000010
【図９】
2010257424.tif 000011
【図１０】
2010257424.tif 000012
【図１１】
2010257424.tif 000013
【図１２】
2010257424.tif 000014
【図１３】
2010257424.tif 000015